(57)【要約】【課題】奥行き方向を比較的厚くしたタイプの室内熱交換器を設置した能力の比較的大きな機種であるか、奥行き方向が比較的薄いタイプの室内熱交換器を設置した能力の比較的小さな機種であるかに応じて、マイナスイオン発生器の電極の位置を変更して、対向電極として機能する室内熱交換器との距離を適切な位置に設定可能な空気調和機を提案する。【解決手段】空気調和機１は、通風路５５を区画する室内機筐体５６と、通風路５５に設けられる室内熱交換器１５と、室内熱交換器１５を対向電極とし、室内熱交換器１５よりも通風路５５の上流側に配置されて通風路５５を流れる空気中に浮遊する粒子を帯電させる電極７２を有するマイナスイオン発生器２８と、室内熱交換器１５の大きさに応じて電極７２の保持位置を変更して室内熱交換器１５と電極７２とを隔てる距離を保つ電極保持部７６と、を備える。【選択図】  図９
2015017785.tif 000002
【特許請求の範囲】
【請求項１】
通風路を区画する筐体と、
前記通風路に設けられる室内熱交換器と、
前記室内熱交換器を対向電極とし、前記室内熱交換器よりも前記通風路の上流側に配置されて前記通風路を流れる空気中に浮遊する粒子を帯電させる電極を有するマイナスイオン発生器と、
前記室内熱交換器の大きさに応じて前記電極の保持位置を変更して前記室内熱交換器と前記電極とを隔てる距離を保つ電極保持部と、を備える空気調和機。
【請求項２】
前記筐体に対して所定の位置に固定されて前記電極へ電力を供給する電源部を備える請求項１に記載の空気調和機。
【請求項３】
前記電源部は、前記電極の保持位置ごとに分岐する端子を備える請求項２に記載の空気調和機。
【発明の詳細な説明】
【技術分野】
【０００１】
本発明に係る実施形態は、空気調和機に関する。
【背景技術】
【０００２】
室内熱交換器をマイナスイオン発生器で帯電させた空気中の微細な汚れ成分を捕集する対向電極として利用する空気調和機が知られている。
【先行技術文献】
【特許文献】
【０００３】
【特許文献１】特開２００９−５２８４４号公報
【発明の概要】
【発明が解決しようとする課題】
【０００４】
従来の空気調和機において、筐体内に収納されたマイナスイオンを発生させる電極を備えたマイナスイオン発生器は、筐体の所定位置に固定されていた。このマイナスイオンを発生させる電極集塵位置と対向電極として機能する室内熱交換器の先端部間の距離は、スパーク放電抑止とマイナスイオンの発生量を制御するための重要な要素の１つである。
【０００５】
ところで、住宅の部屋などに設置される空気調和機は、設置する室内の大きさに対応して、冷房・暖房能力の比較的小さな機種から比較的大きな機種までの中から適合する機種を選択して設置される。同じ機能を備えた空気調和機のシリーズでは、外観を統一するためと、量産性を高めるため、冷房・暖房能力の異なる場合でも同一形状の筐体が使用されている。
【０００６】
そして、同一形状の筐体内に、冷房・暖房能力に応じて、能力の比較的大きな機種のシリーズには補助熱交換器等を付加したりすることで、配管パス数を増やし奥行き方向を比較的厚くした室内熱交換器を、能力の比較的小さな機種のシリーズには補助熱交換器等を付加しない奥行き方向が比較的薄い室内熱交換器を組み合わせることで、室内熱交換器の能力に差のある一連の製品を品揃えしている。
【０００７】
このような品揃えが行われる空気調和機は、能力の比較的大きな機種と、比較的小さな機種では、使用される室内熱交換器の奥行寸法が変わるため、筐体に固定されたマイナスイオン発生器の電極位置と対向電極として使用する室内熱交換器の前部位置との間隔を調整する必要がある。
【０００８】
そこで、本発明は、奥行き方向を比較的厚くしたタイプの室内熱交換器を設置した能力の比較的大きな機種であるか、奥行き方向が比較的薄いタイプの室内熱交換器を設置した能力の比較的小さな機種であるかに応じて、マイナスイオン発生器の電極の位置を変更して、対向電極として機能する室内熱交換器との距離を適切な位置に設定可能な空気調和機を提案する。
【課題を解決するための手段】
【０００９】
前記の課題を解決するため本発明の実施形態に係る空気調和機は、通風路を区画する筐体と、前記通風路に設けられる室内熱交換器と、前記室内熱交換器を対向電極とし、前記室内熱交換器よりも前記通風路の上流側に配置されて前記通風路を流れる空気中に浮遊する粒子を帯電させる電極を有するマイナスイオン発生器と、前記室内熱交換器の大きさに応じて前記電極の保持位置を変更して前記室内熱交換器と前記電極とを隔てる距離を保つ電極保持部と、を備える。
【図面の簡単な説明】
【００１０】
【図１】本発明の実施形態に係る空気調和機を示すブロック図。
【図２】本発明の実施形態に係る空気調和機の室内機を示す正面図。
【図３】本発明の能力の比較的小さな機種の実施形態に係る空気調和機の室内機を示す縦断面図。
【図４】本発明の能力の比較的大きな機種の実施形態に係る空気調和機の室内機を示す縦断面図。
【図５】本発明の実施形態に係る空気調和機のマイナスイオン発生器を示す縦断面図。
【図６】本発明の実施形態に係る空気調和機のマイナスイオン発生器を示す縦断面図。
【図７】本発明の実施形態に係る空気調和機の電極保持部を示す斜視図。
【図８】本発明の実施形態に係る空気調和機の電極保持部を示す斜視図。
【図９】本発明の実施形態に係る空気調和機の電極保持部を示す斜視図。
【図１０】本発明の実施形態に係る空気調和機のマイナスイオン発生器を示す斜視図。
【図１１】本発明の実施形態に係る空気調和機のマイナスイオン発生器を示す斜視図。
【図１２】本発明の実施形態に係る空気調和機のマイナスイオン発生器の電極を示す部分的な斜視図。
【図１３】本発明の実施形態に係る空気調和機のマイナスイオン発生器の電源部を示す分解斜視図。
【図１４】本発明の実施形態に係る空気調和機のマイナスイオン発生器の電源部を示す側面図。
【発明を実施するための形態】
【００１１】
本発明に係る空気調和機の実施形態について、図１から図１４を参照して説明する。
【００１２】
図１は、本発明の実施形態に係る空気調和機を示すブロック図である。
【００１３】
図１に示すように、本実施形態に係る空気調和機１は、室内機２と、室外機３と、を備える。
【００１４】
室内機２は、上下ルーバ５と、モータ６と、左右ルーバ７と、モータ８と、受光部１１と、室内ファン１３と、モータ１４と、室内熱交換器１５と、室内温度センサ１６と、室内ファン駆動部１８と、上下ルーバ駆動部１９と、左右ルーバ駆動部２１と、ＥＥＰＲＯＭ２２と、ＲＯＭ２３と、ＲＡＭ２５と、音声発生部２６と、スピーカ２７と、マイナスイオン発生器２８と、室内制御部３１と、を備える。
【００１５】
室外機３は、圧縮機４１と、四方弁４２と、室外熱交換器４３と、膨張弁４５と、室外ファン４６と、室外制御部４７と、を備える。
【００１６】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１５を通って、再び四方弁４２を介して圧縮機４１へ吸い込まれる。この冷媒の実線矢印の流路（以下、単に「冷房流路」という。）によって、室外熱交換器４３が凝縮器、室内熱交換器１５が蒸発器として機能する。
【００１７】
一方、暖房時には、図１中に破線矢印で示すように、圧縮機４１から吐出される冷媒は、四方弁４２を介して室内熱交換器１５へ案内される。室内熱交換器１５から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１５が凝縮器、室外熱交換器４３が蒸発器として機能する。
【００１８】
室外ファン４６は、室外熱交換器４３の下流側に配置され、運転によって室外熱交換器４３側から熱交換後の空気を吸い込んで吹き出す。室内ファン１３は、室内熱交換器１５の下流側に配置され、運転によって室内熱交換器１５側から熱交換後の被空調室Ｒ内の空気を吸い込んで吹き出す。
【００１９】
室内温度センサ１６は、室内熱交換器１５の吸い込み側に設けられて、室内機２に吸い込まれる空気の温度を検知する。室内制御部３１は、室内温度センサ１６から検知結果を読み取る。
【００２０】
受光部１１は、リモートコントローラ５１（以下、単に「リモコン５１」という。）から送られる赤外線信号を受光する。
【００２１】
室内ファン駆動部１８は、室内制御部３１からの運転信号に従ってモータ１４を駆動させる。駆動するモータ１４は、室内ファン１３を回転させて送風を行う。上下ルーバ駆動部１９は、室内制御部３１からの運転信号に従ってモータ６を駆動させる。駆動するモータ６は、上下ルーバ５を所定の角度範囲で回転させて、上下方向の風向を制御する。左右ルーバ駆動部２１は、室内制御部３１からの運転信号に従ってモータ８を駆動させる。駆動するモータ８は、左右ルーバ７を所定の角度範囲で揺動させて、左右方向の風向を制御する。
【００２２】
ＲＯＭ２３は、書き換え不可能な記憶媒体であって、制御プログラムを記憶している。ＥＥＰＲＯＭ２２は、書き換え可能な記憶媒体であって、運転条件を記憶している。ＲＡＭ２５は、各種情報を一時的に記憶する。
【００２３】
音声発生部２６は、室内制御部３１から送られる各種案内情報を実際の音声信号に変換し、スピーカ２７から被空調室Ｒに音声を発する。
【００２４】
マイナスイオン発生器２８は、室内熱交換器１５の吸い込み側に設けられて、マイナスイオンを放出し、空気中に浮遊する塵埃などの粒子を負に帯電させて、対向電極として機能する室内熱交換器１５の表面に付着させる。対向電極として機能する室内熱交換器１５は、電気的に接地されている。
【００２５】
室内制御部３１は、リモコン５１の操作を介して運転条件の設定を受け付け、室外制御部４７と協働して、設定された運転条件に応じる空調運転を実行する。室外制御部４７と室内制御部３１とは、信号線５２によって相互に接続されている。
【００２６】
図２は、本発明の実施形態に係る空気調和機の室内機を示す正面図である。
【００２７】
図２に示すように、本実施形態に係る空気調和機１の室内機２は、上面に被空調室Ｒから空気を吸い込む吸込口６１と、前面下部に空調空気を被空調室Ｒへ吹き出す吹出口６２と、を備える。
【００２８】
吹出口６２には、左右に分割された上下ルーバ５、５が設けられている。吹出口６２の上部には、リモコン５１と受光部１１とが設けられている。
【００２９】
図３は、図２のＩＩＩ−ＩＩＩ線部分における、本発明の能力の比較的小さな機種の実施形態に係る空気調和機の室内機を示す縦断面図である。
【００３０】
図２、図３に示すように、本実施形態に係る室内機２は、通風路５５を内部に形成する室内機筐体５６を備える。室内機筐体５６は、被空調室Ｒの壁に据付板６０を介して取り付けられ内部の主要構成部品が取り付けられる後本体５７と、後本体５７の前面部を囲うように形成されて上部先端が後本体上部に接合され、下部先端が後本体前面部に固定された枠状の前面枠体５８と、前面枠体５８の前面開口部を覆う開閉自在な前面化粧板５９と、を備えている。室内機筐体５６の前面から上面には、吸込口６１が開口されている。室内機筐体５６の下面前方には、吹出口６２が開口されている。また、前面枠体５８の左右部分は、前面化粧パネル６３が形成されている。したがって、室内機筐体５６は、後本体５７、前面枠体５８、前面化粧板５９、前面化粧パネル６３で構成されている。
【００３１】
吸込口６１と吹出口６２とは、室内機筐体５６内に形成される通風路５５によって流体的に接続されている。室内機筐体５６内には、吸込口６１側から吹出口６２に向かう通風路５５に流れ込む空気から粗い塵埃を除去するエアフィルタ６４、エアフィルタ６４を通過した空気の中の細かい塵埃にマイナスイオンを帯電させるマイナスイオン発生器２８、通過した空気を冷却又は加熱する室内熱交換器１５、通風路５５内の空気の送風を行う室内ファン１３などが順次配置されている。また、室内機内部には、電気部品箱（図示省略）に室内制御部３１が収容されている。なお、室内ファン１３、室内熱交換器１５は、後本体５７に取付けられている。
【００３２】
通風路５５に配置されている室内熱交換器１５は逆Ｖ字状に配置される上前面熱交換器６５、上後面熱交換器６６と、上前面熱交換器６５の下方に延びる下前面熱交換器６７とにより形成される。室内熱交換器１５の下前面熱交換器６７の下方には、室内熱交換器１５から滴下する凝縮水を受ける前部ドレンパン６８が、上後面熱交換器６６の下方には後部ドレンパン６９が設けられている。前部ドレンパン６８、後部ドレンパン６９に受けられた露水は、ドレンホース（図示省略）を通じて室外へ排出される。
【００３３】
室内ファン１３は、室内熱交換器１５に囲まれる位置に配置されている。
【００３４】
室内熱交換器１５の正面、より詳しくは上前面熱交換器６５の正面には、マイナスイオン発生器２８が設けられている。マイナスイオン発生器２８は、樹脂製のカバー７１と、カバー７１に設けられた金属製の電極７２と、を備える。カバー７１は、板状の電極７２を室内熱交換器１５の表面に対向させて保持している。電極７２は、室内熱交換器１５よりも通風路５５の上流側に配置されて通風路５５を流れる空気中に浮遊する粒子を帯電させる。電極７２は、マイナス電位の高圧電源が印加されると空気中にマイナスイオンを発生させる。電極７２は、マイナスイオンによって通風路を流れる空気中に浮遊する粒子を帯電させる。
【００３５】
図４は、図２のＩＩＩ−ＩＩＩ線部分において、本発明の能力の比較的大きな機種の実施形態に係る空気調和機の室内機を示す縦断面図である。
【００３６】
図４に示す本実施形態に係る空気調和機１は、図３に示す能力の比較的小さな機種で使用されるものと同一形状、同一寸法の室内機筐体５６のまま、大きさの異なる能力の比較的大きな機種の室内熱交換器１５Ａを搭載することによって、能力に差のある一連の製品を品揃えすることができる。
【００３７】
具体的には、図４に示す能力の比較的大きな機種の室内熱交換器１５Ａは、上前面熱交換器６５および上後面熱交換器６６それぞれに重ね合わされて能力を高める補助熱交換器７３、７４を備えている。補助熱交換器７３は、上前面熱交換器６５の風上側正面に重ね合わせられている。補助熱交換器７４は、上後面熱交換器６６の風上側背面に重ね合わせられている。
【００３８】
なお、能力の比較的大きな機種の室内熱交換器１５Ａは、補助熱交換器７３と上前面熱交換器６５とを一体化したものや、同等の能力と寸法を有する熱交換器を一体組立したものであっても良い。また、能力の比較的大きな機種の室内熱交換器１５Ａは、補助熱交換器７４と上後面熱交換器６６とを一体化したものや、同等の能力と寸法を有する熱交換器を一体組立したものであっても良い。
【００３９】
図５は、図３のＶ領域において、本発明の実施形態に係る空気調和機のマイナスイオン発生器を示す縦断面図である。
【００４０】
図６は、図４のＶＩ領域において、本発明の実施形態に係る空気調和機のマイナスイオン発生器を示す縦断面図である。
【００４１】
図５および図６に示すように、本実施形態に係る空気調和機１は、能力の比較的小さな機種の室内熱交換器１５および能力の比較的大きな機種の室内熱交換器１５Ａのいずれの場合であっても効率良くマイナスイオンを発生させるために、マイナスイオン発生器２８の電極７２と対向電極である能力の比較的小さな機種の室内熱交換器１５を隔てる距離、および電極７２と能力の比較的大きな機種の室内熱交換器１５Ａとを隔てる距離のいずれの場合においても、適宜の寸法Ｄに保つ必要がある。
【００４２】
そこで、空気調和機１は、能力に対応した各室内熱交換器１５、１５Ａの大きさに応じて電極７２の保持位置を変更して各室内熱交換器１５、１５Ａと電極７２とを隔てる距離を保つ電極保持部７６を備える。
【００４３】
図７から図９は、本発明の実施形態に係る空気調和機の電極保持部を示す斜視図である。
【００４４】
図７は、マイナスイオン発生器２８を取り付ける前の電極保持部７６を示している。図８は、能力の比較的小さな機種の室内熱交換器１５に対応させて電極保持部７６にマイナスイオン発生器２８を取り付けた状態を示している。図９は、能力の比較的大きな機種の室内熱交換器１５Ａに対応させて電極保持部７６にマイナスイオン発生器２８を取り付けた状態を示している。
【００４５】
図７から図９に示すように、本実施形態に係る空気調和機１の電極保持部７６は、室内機筐体５６の前面枠体５８に設けられた前後方向複数の保持孔７７、７８を有し、マイナスイオン発生器２８の保持位置を段階的に変更できる。それぞれの保持孔７７、７８は、各室内熱交換器１５、１５Ａの大きさに応じて夫々室内熱交換器１５、１５Ａ吸込側先端と電極７２とを隔てる距離を適宜の寸法Ｄに保つ位置に予め設けられている。具体的には、一方の第一保持孔７７は、能力の比較的小さな機種の室内熱交換器１５に対応させてマイナスイオン発生器２８を保持する。他方の第二保持孔７８は、能力の比較的大きな機種の室内熱交換器１５Ａに対応させてマイナスイオン発生器２８を保持する。
【００４６】
ここで、マイナスイオン発生器２８について詳しく説明する。
【００４７】
図１０および図１１は、本発明の実施形態に係る空気調和機のマイナスイオン発生器を示す斜視図である。
【００４８】
なお、図１０は、能力の比較的小さな機種の室内熱交換器１５に対応させて図８に示す電極保持部７６の第一保持孔７７にマイナスイオン発生器２８の一端部を取り付けた場合における電極７２と端子７９との接続状態を示している。図１１は、能力の比較的大きな機種の室内熱交換器１５Ａに対応させて電極保持部７６にマイナスイオン発生器２８を取り付けた場合における電極７２と端子７９との接続状態を示している。
【００４９】
図１２は、本発明の実施形態に係る空気調和機のマイナスイオン発生器の電極を示す部分的な斜視図である。
【００５０】
図１３は、本発明の実施形態に係る空気調和機のマイナスイオン発生器の電源部を示す分解斜視図である。
【００５１】
図１４は、本発明の実施形態に係る空気調和機のマイナスイオン発生器の電源部を示す側面図である。
【００５２】
図１０から図１４に示すように、本実施形態に係る空気調和機１のマイナスイオン発生器２８は、カバー７１、電極７２、対向電極としての室内熱交換器１５、１５Ａの他に、電極７２へ電力を供給する電源部８１を備える。
【００５３】
電源部８１は、端子７９を介して電極７２に接続されている。電源部８１は、マイナス電位の高電圧を発生させて電極７２に印加する。端子７９は、電極７２の保持位置ごとに分岐８３、８４している。端子７９の一方の第一分岐８３は、能力の比較的小さな機種の室内熱交換器１５に対応させて電極保持部７６にマイナスイオン発生器２８を取り付けた場合における電極７２に接続する。端子７９の他方の第二分岐８４は、能力の比較的大きな機種の室内熱交換器１５Ａに対応させて電極保持部７６にマイナスイオン発生器２８を取り付けた場合における電極７２に接続する。
【００５４】
また、電源部８１は、電源回路８５を収容するハウジング８６を備える。ハウジング８６は、２つの半体８７、８８を組み合わせることによって、その内部に電源回路８５を収容する。ハウジング８６には、カバー７１の一方の端部を保持する枠体８９を備える。枠体８９には、カバー７１の引掛部９１、９２それぞれを差し込むスリット９３、９４が設けられている。スリット９３、９４は、電極保持部７６と協働して電極７２の保持位置を段階的に変更する。
【００５５】
引掛部９１、９２は、カバー７１の一方の端部に設けられている。一方の第一引掛部９１は、能力の比較的小さな機種の室内熱交換器１５に対応させて電極保持部７６にマイナスイオン発生器２８を取り付けた場合に、ハウジング８６の第一スリット９３に差し込まれる。他方の第二引掛部９２は、能力の比較的大きな機種の室内熱交換器１５Ａに対応させて電極保持部７６にマイナスイオン発生器２８を取り付けた場合に、ハウジング８６の第二スリット９４に差し込まれる。
【００５６】
電極７２は、平らに延びる平面部９５と、平面部９５の延伸方向に直交する方向へ突出する針状の放電部９６と、を備える。放電部９６は、平面部９５の全長に亘って複数、設けられている。
【００５７】
このような構造のマイナスイオン発生器２８では、図７に示すように、電源部８１が室内機筐体５６に対して所定の位置に固定されている。ハウジング８６の枠体８９は、電極保持部７６の保持孔７７、７８に相対する位置に配置されている。そして、電源部８１と電極保持部７６とは、協働してカバー７１を保持し、ひいては電極７２を保持している。
【００５８】
そして、マイナスイオン発生器２８は、図７および図８に示すように、能力の比較的小さな機種の室内熱交換器１５の場合には、端子７９の一方の第一分岐８３を電極７２に接続され、カバー７１の第一引掛部９１をハウジング８６の第一スリット９３に差し込まれ、カバー７１の他方の端部を電極保持部７６の第一保持孔７７に差し込まれて室内機筐体５６に支持される。この保持状態において、室内熱交換器１５と電極７２とを隔てる距離が適宜の寸法Ｄに保たれる。
【００５９】
他方、マイナスイオン発生器２８は、図７および図９に示すように、能力の比較的大きな機種の室内熱交換器１５Ａの場合には、端子７９の他方の第二分岐８４を電極７２に接続され、カバー７１の第二引掛部９２をハウジング８６の第二スリット９４に差し込まれ、カバー７１の他方の端部を電極保持部７６の第二保持孔７８に差し込まれて室内機筐体５６に支持される。この保持状態において、室内熱交換器１５と電極７２とを隔てる距離が適宜の寸法Ｄに保たれる。
【００６０】
本実施形態に係る空気調和機１は、例えば、同一形状の室内機筐体５６に能力の比較的小さな室内熱交換器１５を組み合わせたり、能力の比較的大きな室内熱交換器１５Ａを組み合わせたりして、夫々の室内熱交換器１５、１５Ａの能力に差のある一連の製品を品揃えする場合に、電極保持部７６の保持位置を変更してマイナスイオン発生器２８を組み込むことによって、電極７２と夫々の室内熱交換器１５、１５Ａとの距離を適宜の寸法Ｄに容易に調整できる。本実施形態に係る空気調和機１によれば、能力や形状、寸法の異なる室内熱交換器１５、１５Ａを組み込む場合であっても、マイナスイオン発生器２８取付調整用の治具等を必要とせず、調整作業の手数を抑制できるため、低費用かつ低投資で電極７２と室内熱交換器１５、１５Ａとの距離を適宜の寸法Ｄに保つことができる。
【００６１】
また、本実施形態に係る空気調和機１は、電源部８１を室内機筐体５６に固定しているため、マイナスイオン発生器２８の中でも比較的重量の重い電源部８１の固定を確実にする一方で、比較的軽量なカバー７１および電極７２については取り付けの位置精度を高めることができる。
【００６２】
さらに、本実施形態に係る空気調和機１は、電極７２の保持位置ごとに分岐する端子７９を備えているため、電源部８１を室内機筐体５６に固定する一方で、室内熱交換器１５、１５Ａの形状、寸法に応じて電極７２側の位置を変更する構造であっても、電源部８１と電極７２との電気的な接続を容易に提供することができる。
【００６３】
したがって、本実施形態に空気調和機１によれば、室内熱交換器１５、１５Ａの性能に応じて、マイナスイオンを発生させる電極７２の位置を適宜に変更して、対向電極である室内熱交換器１５、１５Ａと電極７２とを隔てる距離を適切に確保できる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１  空気調和機
２  室内機
３  室外機
５  上下ルーバ
６  モータ
７  左右ルーバ
８  モータ
１１  受光部
１３  室内ファン
１４  モータ
１５、１５Ａ  室内熱交換器
１６  室内温度センサ
１８  室内ファン駆動部
１９  上下ルーバ駆動部
２１  左右ルーバ駆動部
２２  ＥＥＰＲＯＭ
２３  ＲＯＭ
２５  ＲＡＭ
２６  音声発生部
２７  スピーカ
２８  マイナスイオン発生器
３１  室内制御部
４１  圧縮機
４２  四方弁
４３  室外熱交換器
４５  膨張弁
４６  室外ファン
４７  室外制御部
５１  操作器
５１  リモコン
５２  信号線
５５  通風路
５６  室内機筐体
５７  後本体
５８  前面枠体
５９  前面化粧板
６０  据付板
６１  吸込口
６２  吹出口
６３  前面化粧パネル
６４  エアフィルタ
６５  上前面熱交換器
６６  上後面熱交換器
６７  下前面熱交換器
６８  前部ドレンパン
６９  後部ドレンパン
７１  カバー
７２  電極
７３、７４  補助熱交換器
７６  電極保持部
７７  第一保持孔
７８  第二保持孔
７９  端子
８１  電源部
８３  第一分岐
８４  第二分岐
８５  電源回路
８６  ハウジング
８７、８８  半体
８９  枠体
９１  第一引掛部
９２  第二引掛部
９３  第一スリット
９４  第二スリット
９５  平面部
９６  放電部
【図１】
2015017785.tif 000003
【図２】
2015017785.tif 000004
【図３】
2015017785.tif 000005
【図４】
2015017785.tif 000006
【図５】
2015017785.tif 000007
【図６】
2015017785.tif 000008
【図７】
2015017785.tif 000009
【図８】
2015017785.tif 000010
【図９】
2015017785.tif 000011
【図１０】
2015017785.tif 000012
【図１１】
2015017785.tif 000013
【図１２】
2015017785.tif 000014
【図１３】
2015017785.tif 000015
【図１４】
2015017785.tif 000016